(57)【要約】      （修正有）【課題】発振起動性を向上させることができる発振回路及び電子時計を提供する。【解決手段】発振回路１は、発振振動子１０を有する発振器Ｏｓと、その発振振動子１０から見た回路の負荷容量を変更可能な負荷容量調整部Ｃｃｌと、を備える。負荷容量調整部Ｃｃｌは、発振起動させる際に、回路の負荷容量を最大負荷容量よりも小さくする。【選択図】図１
2019161450.tif 000002
【特許請求の範囲】
【請求項１】
発振振動子を有する発振器と、
前記発振振動子から見た回路の負荷容量を変更可能な負荷容量調整部と、
を備え、
前記負荷容量調整部は、発振起動させる際に、回路の前記負荷容量を最大負荷容量よりも小さくすることを特徴とした発振回路。
【請求項２】
前記負荷容量調整部は、発振起動させる際に、回路の前記負荷容量を発振起動後の負荷容量よりも小さくすることを特徴とした請求項１に記載の発振回路。
【請求項３】
発振起動させるための発振起動制御を終えた後、回路の発振能力を低下させてから又は回路の発振能力を低下させると同時に、前記負荷容量調整部は、回路の前記負荷容量を発振起動後の負荷容量に変更することを特徴とした請求項１又は２に記載の発振回路。
【請求項４】
回路の前記発振能力は、回路への供給電圧を変更することによって低下させることを特徴とした請求項３に記載の発振回路。
【請求項５】
時刻を表す時刻表示部と、
動力源としての電源と、
前記時刻表示部を駆動させる駆動機構及び前記駆動機構を作動させる時計回路システムが設けられ、前記電源からの給電により作動するムーブメント本体と、
を備え、
前記時計回路システムは、発振信号を生成する発振回路と、前記発振回路を制御する制御回路と、前記発振回路からの前記発振信号によって計時し、計時した歩進信号を前記制御回路に出力する歩進制御を行う歩進回路と、を備え、
前記発振回路は、発振振動子を有する発振器と、前記発振振動子から見た回路の負荷容量を変更可能な負荷容量調整部と、を備え、
前記制御回路は、発振起動させる際に、回路の前記負荷容量が最大負荷容量よりも小さくなるように前記負荷容量調整部を制御することを特徴とした電子時計。
【請求項６】
前記制御回路は、発振起動させるための発振起動制御を終えた後、前記負荷容量調整部を制御して回路の前記負荷容量を発振起動後の負荷容量に変更してから、前記歩進回路に前記歩進制御を実施させることを特徴とした請求項５に記載の電子時計。
【請求項７】
前記制御回路は、前記発振起動制御を終えた後、前記発振回路の環境測定を行ってから、前記歩進回路に前記歩進制御を実施させることを特徴とした請求項６に記載の電子時計。
【請求項８】
前記負荷容量調整部は、回路の前記負荷容量が第１負荷容量となる第１状態と、回路の前記負荷容量が前記第１負荷容量よりも小さい第２負荷容量となる第２状態と、に回路の前記負荷容量を調整可能であり、
前記制御回路は、前記発振起動制御を終えた後、前記歩進回路に前記歩進制御を実施させる際に、前記第１状態と前記第２状態とが交互に繰り返されるように前記負荷容量調整部を制御することを特徴とした請求項６又は７に記載の電子時計。
【発明の詳細な説明】
【技術分野】
【０００１】
本発明は、発振回路及び電子時計に関する。
【背景技術】
【０００２】
従来、給電により発振し、発振周波数に応じた基準信号を出力する発振回路が知られている。その発振回路は、電子時計等の電子機器に組み込まれ、電子機器の正確な動作を担う基準信号を出力する。この種の発振回路については、例えば、下記の特許文献１に開示されている。
【先行技術文献】
【特許文献】
【０００３】
【特許文献１】特開２００３−２５８５５１号公報
【発明の概要】
【発明が解決しようとする課題】
【０００４】
ところで、発振回路は、発振起動し始めてから一定時間経過後に安定した発振を行うことができる。これ故に、電子機器においては、発振回路の発振起動性を高めることによって、その発振起動にかかる時間の短縮が見込まれる。
【０００５】
そこで、本発明は、発振起動性の向上が可能な発振回路及び電子時計を提供することを、その目的とする。
【課題を解決するための手段】
【０００６】
上記目的を達成する為、本発明に係る発振回路は、発振振動子を有する発振器と、前記発振振動子から見た回路の負荷容量を変更可能な負荷容量調整部と、を備え、前記負荷容量調整部は、発振起動させる際に、回路の前記負荷容量を最大負荷容量よりも小さくすることを特徴としている。
【０００７】
ここで、前記負荷容量調整部は、発振起動させる際に、回路の前記負荷容量を発振起動後の負荷容量よりも小さくすることが望ましい。
【０００８】
また、発振起動させるための発振起動制御を終えた後、回路の発振能力を低下させてから又は回路の発振能力を低下させると同時に、前記負荷容量調整部は、回路の前記負荷容量を発振起動後の負荷容量に変更することが望ましい。
【０００９】
また、回路の前記発振能力は、回路への供給電圧を変更することによって低下させることが望ましい。
【００１０】
また、上記目的を達成する為、本発明に係る電子時計は、時刻を表す時刻表示部と、動力源としての電源と、前記時刻表示部を駆動させる駆動機構及び前記駆動機構を作動させる時計回路システムが設けられ、前記電源からの給電により作動するムーブメント本体と、を備え、前記時計回路システムは、発振信号を生成する発振回路と、前記発振回路を制御する制御回路と、前記発振回路からの前記発振信号によって計時し、計時した歩進信号を前記制御回路に出力する歩進制御を行う歩進回路と、を備え、前記発振回路は、発振振動子を有する発振器と、前記発振振動子から見た回路の負荷容量を変更可能な負荷容量調整部と、を備え、前記制御回路は、発振起動させる際に、回路の前記負荷容量が最大負荷容量よりも小さくなるように前記負荷容量調整部を制御することを特徴としている。
【００１１】
ここで、前記制御回路は、発振起動させるための発振起動制御を終えた後、前記負荷容量調整部を制御して回路の前記負荷容量を発振起動後の負荷容量に変更してから、前記歩進回路に前記歩進制御を実施させることが望ましい。
【００１２】
また、前記制御回路は、前記発振起動制御を終えた後、前記発振回路の環境測定を行ってから、前記歩進回路に前記歩進制御を実施させることが望ましい。
【００１３】
また、前記負荷容量調整部は、回路の前記負荷容量が第１負荷容量となる第１状態と、回路の前記負荷容量が前記第１負荷容量よりも小さい第２負荷容量となる第２状態と、に回路の前記負荷容量を調整可能であり、前記制御回路は、前記発振起動制御を終えた後、前記歩進回路に前記歩進制御を実施させる際に、前記第１状態と前記第２状態とが交互に繰り返されるように前記負荷容量調整部を制御することが望ましい。
【発明の効果】
【００１４】
本発明に係る発振回路及び電子時計は、発振起動させる際に、回路の負荷容量を最大負荷容量よりも減らしているので、負性抵抗が上がって発振起動し易くなり、発振起動性を向上させることができる。
【図面の簡単な説明】
【００１５】
【図１】図１は、実施形態の発振回路を示す回路図である。
【図２】図２は、実施形態の電子時計を示す平面図である。
【図３】図３は、実施形態のムーブメントを示す機能ブロック図である。
【図４】図４は、実施形態の時計回路システムの動作を示すタイムチャートである。
【図５】図５は、実施形態の時計回路システムの動作の変形形態を示すタイムチャートである。
【図６】図６は、変形例１の発振回路を示す回路図である。
【図７】図７は、変形例１のムーブメントを示す機能ブロック図である。
【図８】図８は、変形例１の時計回路システムの動作を示すタイムチャートである。
【図９】図９は、変形例２の発振回路を示す回路図である。
【図１０】図１０は、変形例２のムーブメントを示す機能ブロック図である。
【図１１】図１１は、変形例２の時計回路システムの動作を示すタイムチャートである。
【発明を実施するための形態】
【００１６】
以下に、本発明に係る発振回路及び電子時計の実施形態を図面に基づいて詳細に説明する。尚、この実施形態によりこの発明が限定されるものではない。
【００１７】
［実施形態］
本発明に係る発振回路及び電子時計の実施形態の１つを図１から図５に基づいて説明する。
【００１８】
図１の符号１は、本実施形態の発振回路を示す。発振回路１は、後述する電子時計１０１において、発振信号（ここでは、計時基準となる基準信号）を生成する。この発振回路１は、発振器Ｏｓと負荷容量調整部Ｃｃｌとを備える。具体的に、この発振回路１は、発振振動子１０と、第１インバータ２１と、第２インバータ２２と、帰還抵抗Ｒｆと、制限抵抗Ｒｄと、複数のコンデンサＣｎ（ｎ＝１，２，３，…）と、を備える。この発振回路１においては、発振振動子１０と第１インバータ２１と帰還抵抗Ｒｆとが互いに並列接続されている。この発振回路１においては、発振振動子１０と第１インバータ２１と第２インバータ２２と帰還抵抗Ｒｆと制限抵抗Ｒｄとが発振器Ｏｓの構成要素として設けられている。また、この発振回路１においては、複数のコンデンサＣｎが負荷容量調整部Ｃｃｌの構成要素として設けられている。負荷容量調整部Ｃｃｌは、後述するように、発振振動子１０から見た回路の負荷容量ＣＬを変更できるように構成する。
【００１９】
発振振動子１０は、圧電体１１と、この圧電体１１を挟み込む一対の駆動電極１２，１３と、を有する。例えば、この発振振動子１０は、圧電体１１としての水晶振動子を一対の駆動電極１２，１３で挟んだ水晶振動子であってもよく、圧電体１１としての圧電素子（ピエゾ素子等）を一対の駆動電極１２，１３で挟んだ圧電振動子であってもよい。この発振振動子１０は、駆動電極１２，１３に印加された駆動電圧によって励振する。
【００２０】
第１インバータ２１は、発振用増幅器として利用される所謂発振インバータ｛ＣＭＯＳ（Ｃｏｍｐｌｅｍｅｎｔａｒｙ  ＭＯＳ）インバータ｝であり、発振起動と発振維持を担っている。第２インバータ２２は、第１インバータ２１の出力（電流及び信号）の波形成形を担う増幅器として利用されるＣＭＯＳインバータである。
【００２１】
帰還抵抗Ｒｆは、第１インバータ２１の出力を帰還させ、第１インバータ２１のゲート入力をバイアスして発振振動子１０の発振を継続させる機能を担っている。制限抵抗Ｒｄは、発振振動子１０に流入する電流を制御して、発振振動子１０の励振レベル（ドライブレベル）を調整する機能を担っている。
【００２２】
複数のコンデンサＣｎは、発振周波数調整用のコンデンサである。複数のコンデンサＣｎは、発振振動子１０に接続され、この発振振動子１０から見た回路の負荷容量ＣＬを構成する。複数のコンデンサＣｎは、通電を常時行えるように接続した主コンデンサと、通電と遮断とが切り替えられるように接続した副コンデンサと、に大別される。よって、この発振回路１においては、主コンデンサと副コンデンサとを少なくとも１つずつ備えている。この発振回路１においては、副コンデンサの通電遮断制御によって、回路の負荷容量ＣＬの大きさを調整することができる。例えば、回路の負荷容量ＣＬは、発振回路１に設けた副コンデンサが１つだけの場合、この副コンデンサを遮断することによって、全てのコンデンサＣｎが通電状態となったときの最大負荷容量ＣＬｍａｘよりも小さくなる。また、回路の負荷容量ＣＬは、発振回路１に設けた副コンデンサが複数の場合、複数の副コンデンサの内の少なくとも１つを遮断することによって、最大負荷容量ＣＬｍａｘよりも小さくなる。それぞれのコンデンサＣｎの容量は、発振振動子１０の負荷容量、発振起動させる際の回路の負荷容量（以下、「起動時負荷容量」という。）ＣＬｓ等を勘案した上で設定する。
【００２３】
この例示の発振回路１は、４つのコンデンサＣｎ（第１から第４のコンデンサＣ１−Ｃ４）を備える。ここでは、第１及び第２のコンデンサＣ１，Ｃ２を主コンデンサとし、第３及び第４のコンデンサＣ３，Ｃ４を副コンデンサとする。この発振回路１においては、第１から第４のコンデンサＣ１−Ｃ４によって最大負荷容量ＣＬｍａｘが構成される。
【００２４】
この発振回路１において、接続点ａには、発振振動子１０の一端（駆動電極１２）側と、第１インバータ２１の入力端子と、帰還抵抗Ｒｆの一端と、が接続されている。また、接続点ｂには、第１インバータ２１の出力端子と、第２インバータ２２の入力端子と、帰還抵抗Ｒｆの他端と、制限抵抗Ｒｄの一端と、が接続されている。その制限抵抗Ｒｄの他端には、発振振動子１０の他端（駆動電極１３）側が接続されている。この発振回路１においては、発振振動子１０の一端（駆動電極１２）側と接続点ａとの間及び発振振動子１０の他端（駆動電極１３）側と制限抵抗Ｒｄの他端との間に、負荷容量調整部Ｃｃｌを介在させる。
【００２５】
発振振動子１０の一端（駆動電極１２）側と接続点ａとの間には、発振振動子１０側に接続点ｃを設け、接続点ａ側に接続点ｅを設けている。一方、発振振動子１０の他端（駆動電極１３）側と制限抵抗Ｒｄの他端との間には、発振振動子１０側に接続点ｄを設け、制限抵抗Ｒｄの他端側に接続点ｆを設けている。
【００２６】
負荷容量調整部Ｃｃｌにおいては、接続点ｃに第１コンデンサＣ１の一端を接続し、接続点ｄに第２コンデンサＣ２の一端を接続している。その第１及び第２のコンデンサＣ１，Ｃ２のそれぞれの他端は、各々、基準電位ＧＮＤに接続している。
【００２７】
また、この負荷容量調整部Ｃｃｌにおいては、接続点ｅにスイッチＳＷ１を介して第３コンデンサＣ３の一端を接続し、接続点ｆにスイッチＳＷ２を介して第４コンデンサＣ４の一端を接続している。その第３及び第４のコンデンサＣ３，Ｃ４のそれぞれの他端は、各々、基準電位ＧＮＤに接続している。第３コンデンサＣ３は、スイッチＳＷ１をオン制御することによって通電状態となり、スイッチＳＷ１をオフ制御することによって遮断状態となる。また、第４コンデンサＣ４は、スイッチＳＷ２をオン制御することによって通電状態となり、スイッチＳＷ２をオフ制御することによって遮断状態となる。
【００２８】
ここで、スイッチＳＷ１，ＳＷ２は、各々、負荷容量調整部Ｃｃｌの構成要素として設けたものである。よって、負荷容量調整部Ｃｃｌは、スイッチＳＷ１，ＳＷ２をオン制御又はオフ制御させることによって、回路の負荷容量ＣＬを調整することができる。この発振回路１においては、例えば、通電対象とする第３コンデンサＣ３の負荷容量と第４コンデンサＣ４の負荷容量の組み合わせを発振振動子１０の発振周波数Ｆの目標値に合わせて設定することによって、回路の負荷容量ＣＬを調整することができる。
【００２９】
尚、負荷容量調整部Ｃｃｌは、この例示のように、第３コンデンサＣ３と接続点ｅとの間にスイッチＳＷ１を介在させ、かつ、第４コンデンサＣ４と接続点ｆとの間にスイッチＳＷ２を介在させてもよいが、第３コンデンサＣ３と基準電位ＧＮＤとの間にスイッチＳＷ１を介在させ、かつ、第４コンデンサＣ４と基準電位ＧＮＤとの間にスイッチＳＷ２を介在させてもよい。
【００３０】
このように構成した発振回路１においては、発振起動させる際に、回路の負荷容量ＣＬを次のような起動時負荷容量ＣＬｓに制御することによって、発振起動性を向上させる。起動時負荷容量ＣＬｓは、発振に必要とされる大きさになっていればよい。この発振回路１は、起動時負荷容量ＣＬｓが最大負荷容量ＣＬｍａｘよりも小さくなるように（ＣＬｓ＜ＣＬｍａｘ）、それぞれのコンデンサＣｎの容量を設定している。よって、発振起動させる際には、副コンデンサの通電遮断制御によって、最大負荷容量ＣＬｍａｘよりも小さい起動時負荷容量ＣＬｓとなるように回路の負荷容量ＣＬを調整する。つまり、この発振回路１において、負荷容量調整部Ｃｃｌは、発振起動させる際に、回路の負荷容量ＣＬを最大負荷容量ＣＬｍａｘよりも小さくする（ＣＬ＜ＣＬｍａｘ）。従って、この発振回路１は、そのような回路の負荷容量ＣＬの調整による発振起動制御を行い、発振起動に不要な副コンデンサの容量を減らすことによって、負性抵抗が上がって発振起動し易くなるので、発振起動性を向上させることができる。
【００３１】
尚、発振起動制御とは、発振起動させるための制御のことをいう。また、負性抵抗とは、発振起動性の高さを示すものであり、抵抗が大きいほど発振し易い。図１に示す発振回路１では、下記の式１で負性抵抗Ｒを近似することができる。この式１において、「ｇｍ」は、第１インバータ２１の発振能力を示すものであり、相互コンダクタンスを表している。この相互コンダクタンスｇｍは、供給電圧Ｖが大きいほど高くなる。負性抵抗Ｒは、回路の負荷容量ＣＬが小さいほど大きくなる。
【００３２】
Ｒ＝ｇｍ／（４π２＊ｆ２＊ＣＬ）    …（１）
【００３３】
更に、この発振回路１においては、発振起動させる際に、発振振動子１０への供給電圧Ｖを発振起動後よりも高くすることによって、回路の発振能力を向上させる。つまり、この発振回路１においては、発振起動させる際に、発振起動後と比較して、高い電圧を印加して第１インバータ２１の能力向上を図り、高電力で駆動させることによって、回路の発振能力を向上させる。発振回路１は、この点からも発振起動し易くなり、発振起動性を向上させることができる。この例示では、発振起動制御を終えた後の期間のことを発振起動後と称する。
【００３４】
この例示の発振回路１においては、発振起動させる際に、スイッチＳＷ１，ＳＷ２の内の少なくとも一方を制御して、副コンデンサとしての第３及び第４のコンデンサＣ３，Ｃ４の内の少なくとも一方を遮断して回路から切り離す。例えば、第３及び第４のコンデンサＣ３，Ｃ４の内の一方のみを遮断する場合には、発振振動子１０の他端（駆動電極１３）側と制限抵抗Ｒｄの他端との間に介在する第４コンデンサＣ４を遮断することが望ましい。
【００３５】
ここで、起動時負荷容量ＣＬｓは、発振起動性の向上に適した大きさとするため、発振起動が可能な大きさの中でも最大限小さくすることが望ましい。一方、発振起動した後では、そのような大きさの起動時負荷容量ＣＬｓで発振振動子１０の発振周波数Ｆを目標値に調整することが難しい場合もある。
【００３６】
そこで、回路の負荷容量ＣＬは、発振起動させる際に、発振起動後の回路の負荷容量（以下、「起動後負荷容量」という。）ＣＬａよりも小さい起動時負荷容量ＣＬｓとなるように調整し、発振起動させるための発振起動制御を終えた後（即ち、発振起動後に）、起動後負荷容量ＣＬａとなるように調整してもよい。つまり、この発振回路１において、負荷容量調整部Ｃｃｌは、発振起動させる際に、回路の負荷容量ＣＬを起動後負荷容量ＣＬａより小さくしてもよい（ＣＬ＜ＣＬａ≦ＣＬｍａｘ）。
【００３７】
起動時負荷容量ＣＬｓは、主コンデンサとしての第１及び第２のコンデンサＣ１，Ｃ２で構成する。起動後負荷容量ＣＬａは、発振振動子１０の発振周波数Ｆを目標値に調整することが可能な回路の負荷容量ＣＬであり、その発振周波数Ｆの目標値に応じて設定される。この例示の起動後負荷容量ＣＬａは、主コンデンサとしての第１及び第２のコンデンサＣ１，Ｃ２と、副コンデンサとしての第３及び第４のコンデンサＣ３，Ｃ４の内の少なくとも一方と、で構成する。つまり、負荷容量調整部Ｃｃｌは、発振起動後に、発振周波数Ｆの目標値に基づき第３及び第４のコンデンサＣ３，Ｃ４の内の少なくとも一方を通電状態に制御することによって、その目標値に応じた値の起動後負荷容量ＣＬａへと回路の負荷容量ＣＬを変動させる。よって、この発振回路１では、副コンデンサとしての第３及び第４のコンデンサＣ３，Ｃ４が、発振起動後の発振振動子１０の発振周波数Ｆの精度を向上させるための補償回路３０として利用される（図１）。その補償回路３０は、負荷容量調整部Ｃｃｌに含まれる。それぞれのコンデンサＣｎの容量は、発振起動制御での起動時負荷容量ＣＬｓのときに、発振起動性の向上に適した大きさとなり、補償回路３０として利用する起動後負荷容量ＣＬａのときに、発振振動子１０の発振周波数Ｆを目標値に調整することができるように設定している。
【００３８】
負荷容量調整部Ｃｃｌは、発振起動させる際に、スイッチＳＷ１，ＳＷ２を介して第３及び第４のコンデンサＣ３，Ｃ４を遮断状態に制御することで、回路の負荷容量ＣＬを起動時負荷容量ＣＬｓに調整する。そして、この負荷容量調整部Ｃｃｌは、発振起動後に、スイッチＳＷ１，ＳＷ２を介して第３及び第４のコンデンサＣ３，Ｃ４の内の少なくとも一方を通電状態に制御して、補償回路３０を作動させることによって、発振周波数Ｆの目標値に応じた起動後負荷容量ＣＬａに回路の負荷容量ＣＬを調整する。これにより、この発振回路１は、発振起動性の更なる向上を図ることができると共に、発振起動後の発振振動子１０の発振周波数Ｆを目標値に調整することができる。この発振回路１は、発振起動後に、その発振周波数Ｆの目標値に応じた基準信号を出力する。
【００３９】
ここで、この発振回路１においては、発振起動制御を終えた後、消費電力を削減するために、回路の発振能力を低下させる。その回路の発振能力の低下については、発振起動制御を終えたときに（つまり、発振起動制御を終えたと同時に）実施してもよく、発振起動制御を終えてから所定時間経過後に実施してもよい。この発振回路１においては、発振起動制御を終えた後、発振振動子１０への供給電圧Ｖを変更することによって、回路の発振能力を低下させる。ここでは、供給電圧Ｖを発振起動制御の実施時よりも降圧させることによって、回路の発振能力を低下させる。
【００４０】
また、この発振回路１において、副コンデンサとしての第３及び第４のコンデンサＣ３，Ｃ４は、発振起動制御を終えた後、回路の発振能力を低下させてから又は回路の発振能力を低下させると同時に、回路の負荷容量ＣＬが発振振動子１０の発振周波数Ｆの目標値に応じた大きさとなるように通電遮断制御を行うことが望ましい。その際、第３及び第４のコンデンサＣ３，Ｃ４は、回路の発振能力を低下させてから又は回路の発振能力を低下させると同時に、その内の少なくとも一方を通電状態に制御する。つまり、この発振回路１において、発振起動制御を終えた後、回路の発振能力を低下させた後で又は回路の発振能力を低下させると同時に、負荷容量調整部Ｃｃｌは、回路の負荷容量ＣＬを起動後負荷容量ＣＬａに変更して、補償回路３０による発振周波数Ｆの調整を実施することが望ましい。これにより、この発振回路１においては、発振起動後に、発振振動子１０の発振周波数Ｆを目標値へと調整することができる。
【００４１】
以下に、この発振回路１の具体的な適用事例を示す。
【００４２】
図２の符号１０１は、この発振回路１が適用される本実施形態の電子時計を示す。電子時計１０１は、ケース１１０と、時刻表示部１２０と、を備える。更に、この電子時計１０１は、ムーブメント１３０を備える（図３）。ここでは、電子時計１０１として腕時計を例に挙げている。但し、電子時計１０１は、必ずしも腕時計に限定するものではなく、掛け時計や置時計等であってもよい。
【００４３】
ケース１１０は、時刻表示部１２０やムーブメント１３０を内方に収容する筐体である。このケース１１０は、ケース主体１１１、風防１１２及び裏蓋（図示略）等を備える（図２）。例えば、電子時計１０１が腕時計の場合、ケース主体１１１は、胴などと称されている。
【００４４】
時刻表示部１２０は、時刻を表すものである。ムーブメント１３０は、その時刻表示部１２０を駆動させる駆動システムである。例えば、電子時計１０１がアナログ時計の場合には、指針（時針、分針等）１２１や文字板１２２などの各種部品を時刻表示部１２０が備えている（図２）。この場合、ムーブメント１３０は、時刻表示部１２０の指針１２１を軸周りに回動させる。また、電子時計１０１がデジタル時計の場合には、液晶パネルや有機ＥＬパネル等の表示具が時刻表示部１２０に該当する。この場合には、表示具に時刻を数字で表したもののみならず、表示具に指針部や文字板部を表したものも含まれる。この場合、ムーブメント１３０は、時刻表示部１２０に表示される時刻の表示内容を変化させる。
【００４５】
以下においては、アナログ時計を例に挙げて電子時計１０１の説明を行う。尚、この説明で示すムーブメント１３０は、電子時計１０１がデジタル時計の場合にも適用可能である。但し、デジタル時計の場合のムーブメント１３０は、例えば、後述する駆動機構１５１と駆動回路１５４を表示具（時刻表示部１２０）の駆動回路に置き換える。
【００４６】
先に示した発振回路１は、ムーブメント１３０に包含されている。ムーブメント１３０は、動力源としての電源１４０と、電源１４０からの給電により作動するムーブメント本体１５０と、を備える（図３）。
【００４７】
電源１４０は、電源電圧ＶＳＳ（負電圧）を発生させる。この電源１４０は、ムーブメント本体１５０に給電できるものであれば、如何様なものであってもよい。例えば、電源１４０は、太陽光発電部と、太陽光発電部で生成された電力を蓄える二次電池と、を備えている。また、電源１４０には、ボタン電池等の一次電池を用いてもよい。
【００４８】
ムーブメント本体１５０は、駆動機構１５１を備える（図３）。駆動機構１５１は、図示しないが、時刻表示部１２０を駆動させるモータ（例えば、ステッピングモータ）と、このモータの動力を時刻表示部１２０に伝達する動力伝達機構（所謂輪列）と、を備えている。
【００４９】
更に、ムーブメント本体１５０は、その駆動機構１５１を作動させる時計回路システム１５２Ａを備える（図３）。時計回路システム１５２Ａは、先の発振回路１を備えると共に、歩進回路１５３と、駆動回路１５４と、定電圧生成回路１５５と、電源選択回路１５６Ａと、制御回路１５７と、を備える。
【００５０】
発振回路１は、先に示したように、計時基準となる基準信号を生成する。この発振回路１は、制御回路１５７によって制御される。制御回路１５７は、発振起動させる際も発進起動後も、負荷容量調整部Ｃｃｌの制御｛つまり、副コンデンサ（第３及び第４のコンデンサＣ３，Ｃ４）の通電遮断制御｝を行って、発振回路１の回路の負荷容量ＣＬを調整する。発振回路１においては、調整された回路の負荷容量ＣＬに応じた発振周波数Ｆで発振振動子１０が発振する。この発振回路１は、その発振周波数Ｆに応じた基準信号を歩進回路１５３と制御回路１５７に出力する。
【００５１】
制御回路１５７は、発振起動させる際に、負荷容量調整部Ｃｃｌの制御によって、最大負荷容量ＣＬｍａｘよりも小さい起動時負荷容量ＣＬｓとなるように（ＣＬｓ＜ＣＬｍａｘ）回路の負荷容量ＣＬを調整する。この例示の制御回路１５７は、発振起動させる際に、発振起動後の起動後負荷容量ＣＬａよりも小さい起動時負荷容量ＣＬｓとなるように回路の負荷容量ＣＬを調整し、発振起動後に、起動後負荷容量ＣＬａとなるように回路の負荷容量ＣＬを調整する。
【００５２】
歩進回路１５３は、発振回路１からの発振信号によって計時し、計時した歩進信号を制御回路１５７に出力する歩進制御を行う。この歩進回路１５３には、発振回路１で生成された基準信号と制御回路１５７で生成されたカウント信号とが入力される。歩進回路１５３は、例えば、その制御回路１５７からのカウント信号を契機にして、基準信号の入力回数を計数し、これを基準時刻に加算していくことによって、現在の時刻を計時する。
【００５３】
駆動回路１５４は、制御回路１５７で生成された駆動信号に基づいて駆動機構１５１のモータを作動させる。制御回路１５７は、基準信号に基づいて駆動信号を生成し、歩進回路１５３の歩進信号に応じた時刻となるように、駆動回路１５４を介して駆動機構１５１のモータを作動させる。
【００５４】
定電圧生成回路１５５は、電源電圧ＶＳＳから当該電源電圧ＶＳＳよりも低電圧の定電圧Ｖｒｅｇ（負電圧）を生成する。
【００５５】
電源選択回路１５６Ａは、制御回路１５７で選択された電源の電圧を発振回路１の発振振動子１０に供給する。この電源選択回路１５６Ａには、電源電圧ＶＳＳと定電圧Ｖｒｅｇとが各々入力されている。制御回路１５７は、電源電圧ＶＳＳと定電圧Ｖｒｅｇの内の一方を発振回路１の発振振動子１０への供給電圧Ｖとして選択する。電源選択回路１５６Ａは、制御回路１５７が電源電圧ＶＳＳの供給を選択したならば、電源電圧ＶＳＳを発振回路１に出力する。これにより、発振回路１には、電源電圧ＶＳＳが供給される。一方、電源選択回路１５６Ａは、制御回路１５７が定電圧Ｖｒｅｇの供給を選択したならば、定電圧Ｖｒｅｇを発振回路１に出力する。これにより、発振回路１には、定電圧Ｖｒｅｇが供給される。
【００５６】
この時計回路システム１５２Ａの動作の一例を図４のタイムチャートに示す。このタイムチャートでは、発振回路１の発振振動子１０への供給電圧Ｖ、発振回路１の発振振動子１０の発振周波数Ｆ、補償回路３０の作動状態、消費電流Ｉｑ、カウント信号の出力状態を示している。
【００５７】
制御回路１５７は、発振起動させる際に（ｔ１）、電源選択回路１５６Ａに発振回路１の発振振動子１０への供給電圧Ｖとして電源電圧ＶＳＳを選択させ、その電源電圧ＶＳＳを発振回路１の発振振動子１０に供給させる。つまり、制御回路１５７は、発振起動させる際に（ｔ１）、発振起動後の定電圧Ｖｒｅｇよりも高い電源電圧ＶＳＳを印加することによって、発振起動後よりも第１インバータ２１の能力を上げて、回路の発振能力を向上させている。その際、制御回路１５７は、発振回路１の補償回路３０を作動させないように、スイッチＳＷ１，ＳＷ２を介して第３及び第４のコンデンサＣ３，Ｃ４を遮断状態に制御する。これにより、発振回路１の発振振動子１０は、電源電圧ＶＳＳに応じた発振振幅の発振周波数Ｆで発振する。このように、本実施形態の発振回路１及び電子時計１０１は、先に示したように発振起動に不要な副コンデンサの容量を減らしているので、負性抵抗が上がって発振起動性を向上させることができる。更に、この発振回路１及び電子時計１０１は、発振起動後の定電圧Ｖｒｅｇよりも高い電圧（電源電圧ＶＳＳ）を用いることで、発振起動後よりも第１インバータ２１の発振能力を上げているので、この点からも発振起動性を向上させることができる。尚、制御回路１５７には、発振起動制御を終えるまでの間、カウント信号を出力させない（カウント信号ＯＦＦ）。
【００５８】
この制御回路１５７には、例えば、発振起動し始めてから所定時間が経過したときに（ｔ２）、発振起動制御を終えたと判断させる。その所定時間は、発振回路１が出力した基準信号の入力回数から推定してもよい。制御回路１５７は、発振起動制御を終えた後、電源選択回路１５６Ａに定電圧Ｖｒｅｇを選択させ、発振回路１の発振振動子１０への供給電圧Ｖを電源電圧ＶＳＳから定電圧Ｖｒｅｇに切り替えさせる。つまり、制御回路１５７は、発振起動制御を終えた後、発振振動子１０への供給電圧Ｖを発振起動制御の実施時よりも降圧させることによって、発振回路１の発振能力を低下させる。ここでは、発振起動制御を終えたときに（ｔ２）、供給電圧Ｖを定電圧Ｖｒｅｇに切り替えて、発振回路１の発振能力を低下させる。これに伴い、発振回路１においては、定電圧Ｖｒｅｇ（＜ＶＳＳ）に応じた発振振幅（発振起動させる際よりも小さい発振振幅）の発振周波数Ｆで発振振動子１０が発振する。このように、発振回路１は、供給電圧Ｖの低電圧化に伴い、第１インバータ２１の能力が低下するので、発振能力が低下する。
【００５９】
制御回路１５７は、発振起動制御を終えた後、発振回路１の発振能力を低下させることによって、この発振回路１の消費電力を削減させる。そして、制御回路１５７は、発振回路１の発振能力を低下させてから又は発振回路１の発振能力を低下させると同時に、回路の負荷容量ＣＬが発振振動子１０の発振周波数Ｆの目標値に応じた大きさとなるように負荷容量調整部Ｃｃｌの制御を行う。その際、制御回路１５７は、発振回路１の発振能力を低下させてから又は発振回路１の発振能力を低下させると同時に、第３及び第４のコンデンサＣ３，Ｃ４の内の少なくとも一方を通電状態に制御して、補償回路３０を作動させる。つまり、制御回路１５７は、発振回路１の発振能力を低下させた後で又は発振回路１の発振能力を低下させると同時に、補償回路３０による発振周波数Ｆの調整を実施する。よって、本実施形態の発振回路１及び電子時計１０１は、先に示したように、発振起動後に、発振回路１の消費電力を削減しつつ、発振振動子１０の発振周波数Ｆを目標値へと調整することができる。ここでは、発振起動制御を終えたときに（ｔ２）、発振回路１の発振能力を低下させると同時に、回路の負荷容量ＣＬが発振振動子１０の発振周波数Ｆの目標値に応じた大きさとなるように負荷容量調整部Ｃｃｌの制御を行っている。
【００６０】
また、制御回路１５７には、発振起動制御を終えたときに（ｔ２）、カウント信号の出力を開始させる（カウント信号ＯＮ）。制御回路１５７は、発振起動制御を終えた後、負荷容量調整部Ｃｃｌを制御して回路の負荷容量ＣＬを起動後負荷容量ＣＬａに変更してから、歩進回路１５３に歩進制御を実施させる。よって、本実施形態の電子時計１０１は、時刻の高精度な歩進制御を実施することができる。ここでは、発振起動制御を終えたときに（ｔ２）、発振起動後の負荷容量調整部Ｃｃｌの制御を開始し、その後、歩進回路１５３に歩進制御を実施させる。
【００６１】
以上示したように、本実施形態の発振回路１及び電子時計１０１は、発振起動性を向上させることができると共に、発振起動後の発振振動子１０の発振周波数Ｆを精度良く調整することができる。
【００６２】
ところで、ここまでの例示では、発振起動させる際（発振起動制御を行うとき）に、主コンデンサとしての第１及び第２のコンデンサＣ１，Ｃ２で発振回路１の負荷容量ＣＬ（起動時負荷容量ＣＬｓ）を構成している。そして、ここまでの例示では、発振起動制御を終えた後で、その主コンデンサとしての第１及び第２のコンデンサＣ１，Ｃに加えて、副コンデンサとしての第３及び第４のコンデンサＣ３，Ｃ４の内の少なくとも一方をも利用して、発振回路１の負荷容量ＣＬ（起動後負荷容量ＣＬａ）を構成している。しかしながら、この発振回路１では、第３及び第４のコンデンサＣ３，Ｃ４と同じように、第１及び第２のコンデンサＣ１，Ｃ２についても通電遮断制御が行えるように構成してもよい。この場合、例えば、この発振回路１においては、発振起動させる際に、第１から第４のコンデンサＣ１，Ｃ２の内の少なくとも１つで回路の負荷容量ＣＬ（起動時負荷容量ＣＬｓ）を構成する。そして、この発振回路１においては、発振起動制御を終えた後で、第１から第４のコンデンサＣ１，Ｃ２の内の少なくとも１つ（発振起動させる際のコンデンサＣｎとは別のコンデンサＣｎで、かつ、発振起動させる際のコンデンサＣｎよりも負荷容量が大きいもの）で回路の負荷容量ＣＬ（起動後負荷容量ＣＬａ）を構成する。これにより、この発振回路１においては、発振起動後の回路の負荷容量ＣＬの調整幅を拡げることができる。
【００６３】
また、制御回路１５７は、発振起動制御を終えた後、歩進回路１５３に歩進制御を実施させる際に、次のように負荷容量調整部Ｃｃｌの制御を行ってもよい。例えば、負荷容量調整部Ｃｃｌは、回路の負荷容量ＣＬが第１負荷容量となる第１状態と、回路の負荷容量ＣＬが第１負荷容量よりも小さい第２負荷容量となる第２状態と、に回路の負荷容量ＣＬを調整可能である。発振起動後の第１負荷容量と第２負荷容量は、複数の副コンデンサ（第３及び第４のコンデンサＣ３，Ｃ４）の内の通電対象となる数量を各々で変えることによって設定することができる。例えば、第１状態では、複数の副コンデンサ（第３及び第４のコンデンサＣ３，Ｃ４）の内の少なくとも２つを通電対象とする第１通電遮断制御を行う。また、第２状態では、第１通電遮断制御時よりも通電対象とする副コンデンサの数量を減らした第２通電遮断制御を行う。
【００６４】
制御回路１５７は、発振起動制御を終えた後、歩進回路１５３に歩進制御を実施させる際に、第１状態と第２状態とが交互に繰り返されるように負荷容量調整部Ｃｃｌを制御する。例えば、制御回路１５７は、発振起動制御を終えたときに（ｔ２）、発振回路１の発振能力を低下させてから又は発振回路１の発振能力を低下させると同時に、負荷容量調整部Ｃｃｌを制御して、第１状態と第２状態とが交互に繰り返されるように、第１通電遮断制御と第２通電遮断制御とを交互に繰り返す。例えば、その第１状態（第１通電遮断制御）と第２状態（第２通電遮断制御）は、一定周期毎に繰り返される。発振回路１においては、第１通電遮断制御と第２通電遮断制御での発振周波数Ｆを相対比較すると、第１通電遮断制御が実施されているときに発振周波数Ｆが遅くなり、第２通電遮断制御が実施されているときに発振周波数Ｆが早くなる。ここで、先に示したように、歩進制御は、発振起動後の副コンデンサの通電遮断制御を開始してから実施する。この電子時計１０１は、第１通電遮断制御と第２通電遮断制御の実行期間の比によって、歩進回路１５３の歩進信号を制御することができる。
【００６５】
更に、第１状態（第１通電遮断制御）と第２状態（第２通電遮断制御）は、次のような形態のものに替えてもよい。その動作の一例を図５のタイムチャートに示す。制御回路１５７は、発振起動制御を終えたときに（ｔ２）、発振回路１の発振能力を低下させてから又は発振回路１の発振能力を低下させると同時に、複数の副コンデンサ（第３及び第４のコンデンサＣ３，Ｃ４）の内の少なくとも１つを通電対象とする第１通電遮断制御と複数の副コンデンサの全てを遮断対象とする第２通電遮断制御とを交互に繰り返す。換言するならば、制御回路１５７は、発振起動制御を終えたときに（ｔ２）、発振回路１の発振能力を低下させてから又は発振回路１の発振能力を低下させると同時に、発振周波数Ｆの目標値に応じた補償回路３０の作動制御（第１通電遮断制御）と発振周波数Ｆの目標値に応じた補償回路３０の停止制御（第２通電遮断制御）とを交互に繰り返す。つまり、制御回路１５７は、発振起動後に、その第１通電遮断制御と第２通電遮断制御とを交互に繰り返す。例えば、その第１通電遮断制御と第２通電遮断制御は、一定周期毎に繰り返される。この場合でも、発振回路１においては、第１通電遮断制御と第２通電遮断制御での発振周波数Ｆを相対比較すると、第１通電遮断制御が実施されているときに発振周波数Ｆが遅くなり、第２通電遮断制御が実施されているときに発振周波数Ｆが早くなる。本実施形態の電子時計１０１は、第１通電遮断制御と第２通電遮断制御の制御形態をこのように替えたとしても、歩進制御の開始時期を早めることができる。つまり、この電子時計１０１は、この場合でも、第１通電遮断制御と第２通電遮断制御の実行期間の比によって、歩進回路１５３の歩進信号を制御することができる。
【００６６】
［変形例１］
図６の符号２は、本変形例の発振回路を示す。本変形例では、前述した実施形態と同等のものを同じ符号を付して示し、その具体的な説明を省略する。
【００６７】
本変形例の発振回路２は、発振振動子１０と、インバータ４０と、複数のコンデンサＣｎ（ｎ＝１，２，３，…）と、を備える（図６）。この発振回路２においては、発振振動子１０とインバータ４０とが並列接続されている。この発振回路２においては、発振振動子１０とインバータ４０とが発振器Ｏｓの構成要素として設けられ、複数のコンデンサＣｎが負荷容量調整部Ｃｃｌの構成要素として設けられている。
【００６８】
インバータ４０は、第１トランジスタ素子４１と第２トランジスタ素子４２と帰還抵抗４３とを備えるＣＭＯＳインバータであり、発振インバータを構成する（図６）。このインバータ４０においては、入力端子を接続点ａに接続し、出力端子を接続点ｂに接続している。第１トランジスタ素子４１は、ＮチャネルのＭＯＳＦＥＴである。第２トランジスタ素子４２は、ＰチャネルのＭＯＳＦＥＴである。インバータ４０の入力端子と出力端子との間には、帰還抵抗４３を挿入する。また、このインバータ４０は、入力端子と第２トランジスタ素子４２との間にコンデンサ４４を介在させ、かつ、その間に抵抗４５の一端を接続している。そのコンデンサ４４は、インバータ４０の入力端子からの交流成分を第２トランジスタ素子４２のゲート端子に伝達させる所謂カップリングコンデンサの役割を果たしている。
【００６９】
第１トランジスタ素子４１は、ゲート端子をインバータ４０の入力端子（接続点ａ）に接続し、ドレイン端子をインバータ４０の出力端子（接続点ｂ）に接続する。また、この第１トランジスタ素子４１は、ソース端子を後述する電源選択回路１５６Ｂの第１出力１５６ａ（図７）に接続する。その第１出力１５６ａからは、第１供給電圧Ｖが印加されている。
【００７０】
第２トランジスタ素子４２のゲート端子は、コンデンサ４４を介してインバータ４０の入力端子（接続点ａ）に接続する。また、この第２トランジスタ素子４２のゲート端子は、コンデンサ４４との間にて、抵抗４５を介して後述する電源選択回路１５６Ｂの第２出力１５６ｂ（図７）に接続する。その第２出力１５６ｂからは、第２供給電圧Ｖｇが印加されている。この第２トランジスタ素子４２は、ドレイン端子をインバータ４０の出力端子（接続点ｂ）に接続し、ソース端子を基準電位ＧＮＤに接続する。第２トランジスタ素子４２のゲート端子には、第２供給電圧Ｖｇが印加され、かつ、コンデンサ４４を介してインバータ４０の入力端子からの交流成分が印加される。よって、この第２トランジスタ素子４２は、ゲインを調整しつつ、増幅器としても動作する。
【００７１】
複数のコンデンサＣｎは、前述した実施形態と同じように、発振周波数調整用のコンデンサであり、発振振動子１０から見た回路の負荷容量ＣＬを構成する。但し、本変形例の発振回路２は、主コンデンサとしての第１及び第２のコンデンサＣ１，Ｃ２と、副コンデンサとしての第３から第６のコンデンサＣ３−Ｃ６と、を備える（図６）。この発振回路２においては、第１から第６のコンデンサＣ１−Ｃ６によって最大負荷容量ＣＬｍａｘが構成される。
【００７２】
この発振回路２において、接続点ａには、発振振動子１０の一端（駆動電極１２）側が接続されている。また、接続点ｂには、発振振動子１０の他端（駆動電極１３）側が接続されている。
【００７３】
発振振動子１０の一端（駆動電極１２）側と接続点ａとの間では、発振振動子１０側の接続点ｃに第１コンデンサＣ１の一端が接続され、接続点ｃよりも接続点ａ側の接続点ｅにスイッチＳＷ１を介して第３コンデンサＣ３の一端が接続されている。発振振動子１０の他端（駆動電極１３）側と接続点ｂとの間では、発振振動子１０側の接続点ｄに第２コンデンサＣ２の一端が接続され、接続点ｄよりも接続点ｂ側の接続点ｆにスイッチＳＷ２を介して第４コンデンサＣ４の一端が接続されている。この発振回路２においても、第３及び第４のコンデンサＣ３，Ｃ４は、前述した実施形態の補償回路３０と同様の第１補償回路３１を構成する（図６）。その第１補償回路３１は、負荷容量調整部Ｃｃｌに含まれる。
【００７４】
また、発振振動子１０の一端（駆動電極１２）側と接続点ａとの間では、接続点ｅよりも接続点ａ側の接続点ｇにスイッチＳＷ３を介して第５コンデンサＣ５の一端が接続されている。第５コンデンサＣ５は、スイッチＳＷ３をオン制御することによって通電状態となり、スイッチＳＷ３をオフ制御することによって遮断状態となる。発振振動子１０の他端（駆動電極１３）側と接続点ｂとの間では、接続点ｆよりも接続点ｂ側の接続点ｈにスイッチＳＷ４を介して第６コンデンサＣ６の一端が接続されている。第６コンデンサＣ６は、スイッチＳＷ４をオン制御することによって通電状態となり、スイッチＳＷ４をオフ制御することによって遮断状態となる。第５及び第６のコンデンサＣ５，Ｃ６のそれぞれの他端は、各々、基準電位ＧＮＤに接続されている。この発振回路２においては、第５及び第６のコンデンサＣ５，Ｃ６が、前述した実施形態の補償回路３０と同様の第２補償回路３２を構成する（図６）。その第２補償回路３２は、負荷容量調整部Ｃｃｌに含まれる。
【００７５】
本変形例においても、スイッチＳＷ１−ＳＷ４は、各々、負荷容量調整部Ｃｃｌの構成要素として設けている。よって、負荷容量調整部Ｃｃｌは、スイッチＳＷ１−ＳＷ４をオン制御又はオフ制御させることによって、回路の負荷容量ＣＬを調整することができる。この発振回路２においては、例えば、通電対象とする第３から第６のコンデンサＣ３−Ｃ６の負荷容量の組み合わせを発振振動子１０の発振周波数Ｆの目標値に合わせて設定することによって、回路の負荷容量ＣＬを調整することができる。例えば、発振回路２は、発振起動させる際に、その負荷容量調整部Ｃｃｌの制御｛つまり、副コンデンサ（第３から第６のコンデンサＣ３−Ｃ６）の通電遮断制御｝によって、最大負荷容量ＣＬｍａｘよりも小さい起動時負荷容量ＣＬｓとなるように回路の負荷容量ＣＬを調整する。
【００７６】
本変形例の発振回路２においては、発振起動させる際に、スイッチＳＷ１−ＳＷ４の内の少なくとも１つを制御して、副コンデンサとしての第３から第６のコンデンサＣ３−Ｃ６の内の少なくとも１つを遮断して回路から切り離す。例えば、第１補償回路３１で第３及び第４のコンデンサＣ３，Ｃ４の内の一方のみを遮断する場合には、発振振動子１０の他端（駆動電極１３）側と接続点ｂとの間に介在する第４コンデンサＣ４を遮断することが望ましい。これと同様に、第２補償回路３２で第５及び第６のコンデンサＣ５，Ｃ６の内の一方のみを遮断する場合には、発振振動子１０の他端（駆動電極１３）側と接続点ｂとの間に介在する第６コンデンサＣ６を遮断することが望ましい。
【００７７】
この発振回路２においては、発振起動させる際（発振起動制御を行うとき）に、主コンデンサとしての第１及び第２のコンデンサＣ１，Ｃ２で発振回路１の負荷容量ＣＬ（起動時負荷容量ＣＬｓ）を構成する。そして、この発振回路２においては、発振起動制御を終えた後で、その主コンデンサとしての第１及び第２のコンデンサＣ１，Ｃに加えて、副コンデンサとしての第３から第６のコンデンサＣ３−Ｃ６の内の少なくとも一方をも利用して、回路の負荷容量ＣＬ（起動後負荷容量ＣＬａ）を構成する。つまり、負荷容量調整部Ｃｃｌは、発振起動させる際に、回路の負荷容量ＣＬを起動後負荷容量ＣＬａよりも小さくする。
【００７８】
但し、第１及び第２のコンデンサＣ１，Ｃ２は、第３から第６のコンデンサＣ３−Ｃ６と同じように通電遮断制御が行えるように構成しておくことで、起動後負荷容量ＣＬａの構成要素として利用してもよい。この場合、この発振回路２においては、発振起動させる際に、第１から第６のコンデンサＣ１−Ｃ６の内の少なくとも１つで回路の負荷容量ＣＬ（起動時負荷容量ＣＬｓ）を構成する。そして、この発振回路２においては、発振起動制御を終えた後で、第１から第６のコンデンサＣ１−Ｃ６の内の少なくとも１つ（発振起動させる際のコンデンサＣｎとは別のコンデンサＣｎで、かつ、発振起動させる際のコンデンサＣｎよりも負荷容量が大きいもの）で回路の負荷容量ＣＬ（起動後負荷容量ＣＬａ）を構成する。これにより、この発振回路２においては、発振起動後の回路の負荷容量ＣＬの調整幅を拡げることができる。
【００７９】
更に、本変形例の発振回路２においては、発振起動させる際に、第１出力１５６ａからの第１供給電圧Ｖを定電圧Ｖｒｅｇとし、第２出力１５６ｂからの第２供給電圧Ｖｇを電源電圧Ｖｓｓとする。これにより、インバータ４０においては、第２トランジスタ素子４２のゲート端子の電位が電源電圧Ｖｓｓに応じた電位となり、第２出力１５６ｂからの第２供給電圧Ｖｇを定電圧Ｖｒｅｇとしているときよりも能力が高くなる。
【００８０】
一方、本変形例の発振回路２においては、第１出力１５６ａからの第１供給電圧Ｖと第２出力１５６ｂからの第２供給電圧Ｖｇを共に定電圧Ｖｒｅｇとする。これにより、インバータ４０においては、第２トランジスタ素子４２のゲート端子の電位が定電圧Ｖｒｅｇに応じた電位となり、発振起動制御を行っているときよりも能力が低くなる。よって、この発振回路２は、発振起動後の消費電力の削減を図ることができる。
【００８１】
このように、本変形例の発振回路２は、第１出力１５６ａからの第１供給電圧Ｖを定電圧Ｖｒｅｇに保ったまま、第２出力１５６ｂからの第２供給電圧Ｖｇを変化させて、第２トランジスタ素子４２のゲート端子の電位を変動させる。本変形例の発振回路２は、そのようにしてインバータ４０の能力を制御することによって、発振起動制御を行っているときと発振起動制御を終えた後とで発振能力を調整する。
【００８２】
また、この発振回路２においても、副コンデンサとしての第３から第６のコンデンサＣ３−Ｃ６は、発振起動制御を終えた後、回路の発振能力を低下させてから又は回路の発振能力を低下させると同時に、回路の負荷容量ＣＬが発振振動子１０の発振周波数Ｆの目標値に応じた大きさとなるように通電遮断制御を行うことが望ましい。これにより、この発振回路２においては、発振起動後に、発振振動子１０の発振周波数Ｆを目標値へと調整することができる。
【００８３】
この発振回路２は、前述した実施形態の電子時計１０１に設けられ、この電子時計１０１が備えるムーブメント本体１５０の時計回路システム１５２Ｂに包含される（図７）。
【００８４】
本変形例の時計回路システム１５２Ｂは、先の発振回路２を備えると共に、歩進回路１５３と、駆動回路１５４と、定電圧生成回路１５５と、電源選択回路１５６Ｂと、制御回路１５７と、を備える。
【００８５】
発振回路２は、本変形例においても、制御回路１５７によって制御される。制御回路１５７は、発振起動させる際も発進起動後も、副コンデンサ（第３から第６のコンデンサＣ３−Ｃ６）の通電遮断制御を行って、発振回路２の回路の負荷容量ＣＬを調整する。発振回路２は、調整された回路の負荷容量ＣＬに応じた発振周波数Ｆで発振振動子１０を発振させ、その発振周波数Ｆに応じた基準信号を歩進回路１５３と制御回路１５７に出力する。
【００８６】
電源選択回路１５６Ｂには、電源電圧ＶＳＳと、定電圧生成回路１５５で電源電圧ＶＳＳから生成された定電圧Ｖｒｅｇと、が入力されている。電源選択回路１５６Ｂは、例えば、電源電圧ＶＳＳと定電圧Ｖｒｅｇとを第１及び第２の出力１５６ａ，１５６ｂから出力することができる。この例示の電源選択回路１５６Ｂは、第１出力１５６ａから定電圧Ｖｒｅｇを出力させ、第２出力１５６ｂから電源電圧ＶＳＳ又は定電圧Ｖｒｅｇを出力させるものであればよい。電源選択回路１５６Ｂは、発振起動させる際に、制御回路１５７に制御されて、定電圧Ｖｒｅｇを第１出力１５６ａから出力させ、電源電圧ＶＳＳを第２出力１５６ｂから出力させる。先に示したように、インバータ４０においては、第１トランジスタ素子４１のソース端子が第１出力１５６ａに接続され、第２トランジスタ素子４２のゲート端子が第２出力１５６ｂに接続されている。一方、電源選択回路１５６Ｂは、発振起動後に、制御回路１５７に制御されて、第２出力１５６ｂから出力させる第２供給電圧Ｖｇを定電圧Ｖｒｅｇに変更する。
【００８７】
この時計回路システム１５２Ｂの動作の一例を図８のタイムチャートに示す。このタイムチャートでは、第１出力１５６ａからの第１供給電圧Ｖ、第２出力１５６ｂからの第２供給電圧Ｖｇ、発振回路２の発振振動子１０の発振周波数Ｆ、第１及び第２の補償回路３１，３２の作動状態、消費電流Ｉｑ、カウント信号の出力状態を示している。
【００８８】
制御回路１５７は、発振起動させる際に（ｔ１）、電源選択回路１５６Ｂを制御して、第１出力１５６ａから出力させる第１供給電圧Ｖを定電圧Ｖｒｅｇとし、第２出力１５６ｂから出力させる第２供給電圧Ｖｇを電源電圧ＶＳＳとする。制御回路１５７は、このようにして第２トランジスタ素子４２のゲート端子の電位を電源電圧Ｖｓｓに応じた電位とすることで、発振起動後よりもインバータ４０の能力を上げて、回路の発振能力を向上させる。その際、この例示の制御回路１５７は、第１及び第２の補償回路３１，３２を作動させないように、スイッチＳＷ１−ＳＷ４を介して第３から第６のコンデンサＣ３−Ｃ６を遮断状態に制御する。この発振回路２においては、第１出力１５６ａからの第１供給電圧Ｖ（定電圧Ｖｒｅｇ）が発振振動子１０に印加されているので、その定電圧Ｖｒｅｇに応じた発振振幅の発振周波数Ｆで発振振動子１０が発振する。このように、本変形例の発振回路２及び電子時計１０１は、前述した実施形態と同じように、発振起動に不要な副コンデンサの容量を減らしているので、負性抵抗が上がって発振起動性を向上させることができる。尚、制御回路１５７には、発振起動制御を終えるまでの間、カウント信号を出力させない（カウント信号ＯＦＦ）。
【００８９】
制御回路１５７は、発振起動制御を終えた後、電源選択回路１５６Ｂを制御して、第２出力１５６ｂから出力させる第２供給電圧Ｖｇを電源電圧Ｖｓｓから定電圧Ｖｒｅｇに変更する。ここでは、発振起動制御を終えたときに（ｔ２）、第２トランジスタ素子４２のゲート端子に定電圧Ｖｒｅｇを印加する。制御回路１５７は、このようにして第２トランジスタ素子４２のゲート端子の電位を定電圧Ｖｒｅｇに応じた電位とすることで、発振起動させるときよりもインバータ４０の能力を下げて、回路の発振能力を低下させる。これにより、発振回路２の発振振動子１０は、定電圧Ｖｒｅｇに応じた発振振幅の発振周波数Ｆで発振するが、インバータ４０の能力の低下分だけ発振起動させる際よりも小さい発振振幅の発振周波数Ｆで発振する。これに伴って、この発振回路２においては、消費電流Ｉｑが減少するので、発振起動後の通常駆動時の消費電力を削減することができる。尚、本変形例では第２トランジスタ素子４２のゲート端子に電源電圧Ｖｓｓ及び定電圧Ｖｒｅｇを印加するものとして説明したが、インバータ４０の能力の設定如何では、これ以外の定電圧を印加してもよい。
【００９０】
更に、制御回路１５７は、そのようにして発振回路２の発振能力を低下させてから又は発振回路２の発振能力を低下させると同時に、回路の負荷容量ＣＬが発振振動子１０の発振周波数Ｆの目標値に応じた大きさとなるように負荷容量調整部Ｃｃｌの制御を行う。ここでは、発振起動制御を終えたときに（ｔ２）、発振回路１の発振能力を低下させると同時に、回路の負荷容量ＣＬが発振振動子１０の発振周波数Ｆの目標値に応じた大きさとなるように負荷容量調整部Ｃｃｌの制御を行っている。つまり、制御回路１５７は、負荷容量調整部Ｃｃｌを制御して、回路の負荷容量ＣＬを起動後負荷容量ＣＬａに変更している。この例示では、負荷容量調整部Ｃｃｌを発振起動後の第１状態とするときに、第３及び第４のコンデンサＣ３，Ｃ４を通電対象とする第１通電遮断制御を行い、負荷容量調整部Ｃｃｌを発振起動後の第２状態とするときに、第３から第６のコンデンサＣ３−Ｃ６を通電対象とする第２通電遮断制御を行う。
【００９１】
制御回路１５７は、発振起動制御を終えた後、歩進回路１５３に歩進制御を実施させる際に、その第１状態と第２状態とが交互に繰り返されるように負荷容量調整部Ｃｃｌを制御する。例えば、制御回路１５７は、発振起動制御を終えたときに（ｔ２）、発振回路１の発振能力を低下させてから又は発振回路１の発振能力を低下させると同時に、負荷容量調整部Ｃｃｌを制御して、第１状態と第２状態とが交互に繰り返されるように、第１通電遮断制御と第２通電遮断制御とを交互に繰り返す。その第１通電遮断制御と第２通電遮断制御は、発振起動後、一定周期毎に繰り返される。この電子時計１０１は、第１通電遮断制御と第２通電遮断制御の実行期間の比によって、歩進回路１５３の歩進信号を制御することができる。
【００９２】
これに替えて、制御回路１５７は、本変形例においても、発振起動制御を終えたときに（ｔ２）、発振回路２の発振能力を低下させてから又は発振回路２の発振能力を低下させると同時に、複数の副コンデンサ（第３から第６のコンデンサＣ３−Ｃ６）の内の少なくとも１つを通電対象とする第１状態（第１通電遮断制御）と複数の副コンデンサの全てを遮断対象とする第２状態（第２通電遮断制御）とを交互に繰り返してもよい。その第１通電遮断制御と第２通電遮断制御は、発振起動後、一定周期毎に繰り返される。
【００９３】
制御回路１５７には、発振起動制御を終えたときに（ｔ２）、カウント信号の出力を開始させる（カウント信号ＯＮ）。そして、制御回路１５７は、発振起動後の負荷容量調整部Ｃｃｌの制御を開始してから、歩進回路１５３に歩進制御を実施させる。よって、本変形例の電子時計１０１は、時刻の高精度な歩進制御を実施することができる。
【００９４】
以上示したように、本変形例の発振回路２及び電子時計１０１は、発振起動性を向上させることができると共に、発振起動後の発振振動子１０の発振周波数Ｆを精度良く調整することができる。寧ろ、本変形例の発振回路２及び電子時計１０１は、前述した実施形態と比較して、副コンデンサとスイッチの数量を増やしているので、これらの回路構成の簡素化については実施形態の方が優れているが、その反面、発振起動させる際も発進起動後も、回路の負荷容量ＣＬの調整幅が大きい。よって、本変形例の発振回路２及び電子時計１０１は、前述した実施形態よりも、発振起動性が高く、かつ、発振起動後の発振振動子１０の発振周波数Ｆを高精度に調整することができる。
【００９５】
［変形例２］
図９の符号３は、本変形例の発振回路を示す。本変形例では、前述した実施形態や変形例１と同等のものを同じ符号を付して示し、その具体的な説明を省略する。
【００９６】
本変形例の発振回路３は、発振振動子１０と、第１インバータ２１と、第２インバータ２２と、帰還抵抗Ｒｆと、制限抵抗Ｒｄと、複数のコンデンサＣｎ（ｎ＝１，２，３，…）と、を備える（図９）。この発振回路３においては、発振振動子１０と第１インバータ２１と帰還抵抗Ｒｆとが互いに並列接続されている。この発振回路３においては、発振振動子１０と第１インバータ２１と第２インバータ２２と帰還抵抗Ｒｆと制限抵抗Ｒｄとが発振器Ｏｓの構成要素として設けられ、複数のコンデンサＣｎが負荷容量調整部Ｃｃｌの構成要素として設けられている。
【００９７】
複数のコンデンサＣｎは、前述した実施形態と同じように、発振周波数調整用のコンデンサであり、発振振動子１０から見た回路の負荷容量ＣＬを構成する。但し、本変形例の発振回路３は、主コンデンサとしての第１及び第２のコンデンサＣ１，Ｃ２と、副コンデンサとしての第３から第８のコンデンサＣ３−Ｃ８と、を備える（図９）。この発振回路３においては、第１から第８のコンデンサＣ１−Ｃ８によって最大負荷容量ＣＬｍａｘが構成される。
【００９８】
この発振回路３においては、実施形態の発振回路１と同じように、発振振動子１０と第１インバータ２１と第２インバータ２２と帰還抵抗Ｒｆと制限抵抗Ｒｄとが接続されている。よって、発振振動子１０の一端（駆動電極１２）側と接続点ａとの間では、発振振動子１０側の接続点ｃに第１コンデンサＣ１の一端が接続されている。発振振動子１０の他端（駆動電極１３）側と制限抵抗Ｒｄの他端との間では、発振振動子１０側の接続点ｄに第２コンデンサＣ２の一端が接続されている。
【００９９】
本変形例の副コンデンサとしての第３から第８のコンデンサＣ３−Ｃ８は、接続点ｄと制限抵抗Ｒｄの他端との間に設けている。接続点ｄ側の接続点ｅには、スイッチＳＷ１を介して第３コンデンサＣ３の一端が接続されている。接続点ｅよりも制限抵抗Ｒｄの他端側の接続点ｆには、スイッチＳＷ２を介して第４コンデンサＣ４の一端が接続されている。接続点ｆよりも制限抵抗Ｒｄの他端側の接続点ｇには、スイッチＳＷ３を介して第５コンデンサＣ５の一端が接続されている。接続点ｇよりも制限抵抗Ｒｄの他端側の接続点ｈには、スイッチＳＷ４を介して第６コンデンサＣ６の一端が接続されている。接続点ｈよりも制限抵抗Ｒｄの他端側の接続点ｉには、スイッチＳＷ５を介して第７コンデンサＣ７の一端が接続されている。接続点ｉよりも制限抵抗Ｒｄの他端側の接続点ｊには、スイッチＳＷ６を介して第８コンデンサＣ８の一端が接続されている。第７コンデンサＣ７は、スイッチＳＷ５をオン制御することによって通電状態となり、スイッチＳＷ５をオフ制御することによって遮断状態となる。第８コンデンサＣ８は、スイッチＳＷ６をオン制御することによって通電状態となり、スイッチＳＷ６をオフ制御することによって遮断状態となる。第７及び第８のコンデンサＣ７，Ｃ８のそれぞれの他端は、各々、基準電位ＧＮＤに接続されている。
【０１００】
ここで、スイッチＳＷ１−ＳＷ６は、各々、負荷容量調整部Ｃｃｌの構成要素として設けたものである。よって、負荷容量調整部Ｃｃｌは、スイッチＳＷ１−ＳＷ６をオン制御又はオフ制御させることによって、回路の負荷容量ＣＬを調整することができる。この発振回路３においては、例えば、通電対象とする第３から第８のコンデンサＣ３−Ｃ８の負荷容量の組み合わせを発振振動子１０の発振周波数Ｆの目標値に合わせて設定することによって、回路の負荷容量ＣＬを調整することができる。
【０１０１】
この発振回路３においては、第３コンデンサＣ３が第１補償回路３３を構成し、第４から第８のコンデンサＣ４−Ｃ８が第２補償回路３４を構成する。その第１補償回路３３と第２補償回路３４は、負荷容量調整部Ｃｃｌに含まれる。尚、この例示では、第４コンデンサＣ４、第５コンデンサＣ５、第６コンデンサＣ６、第７コンデンサＣ７、第８コンデンサＣ８の順に容量を大きくしている。
【０１０２】
本変形例においても、発振回路３は、発振起動させる際に、副コンデンサの通電遮断制御によって、最大負荷容量ＣＬｍａｘよりも小さい起動時負荷容量ＣＬｓとなるように回路の負荷容量ＣＬを調整する。
【０１０３】
本変形例の発振回路３においては、発振起動させる際に、スイッチＳＷ１−ＳＷ６の内の少なくとも１つを制御して、副コンデンサとしての第３から第８のコンデンサＣ３−Ｃ８の内の少なくとも１つを遮断して回路から切り離す。
【０１０４】
この発振回路３においては、発振起動させる際（発振起動制御を行うとき）に、主コンデンサとしての第１及び第２のコンデンサＣ１，Ｃ２で発振回路１の負荷容量ＣＬ（起動時負荷容量ＣＬｓ）を構成する。そして、この発振回路３においては、発振起動制御を終えた後で、その主コンデンサとしての第１及び第２のコンデンサＣ１，Ｃに加えて、副コンデンサとしての第３から第８のコンデンサＣ３−Ｃ８の内の少なくとも一方をも利用して、回路の負荷容量ＣＬ（起動後負荷容量ＣＬａ）を構成する。つまり、負荷容量調整部Ｃｃｌは、発振起動させる際に、回路の負荷容量ＣＬを起動後負荷容量ＣＬａよりも小さくする。
【０１０５】
但し、第１及び第２のコンデンサＣ１，Ｃ２は、第３から第８のコンデンサＣ３−Ｃ８と同じように通電遮断制御が行えるように構成しておくことで、起動後負荷容量ＣＬａの構成要素として利用してもよい。この場合、この発振回路３においては、発振起動させる際に、第１から第８のコンデンサＣ１−Ｃ８の内の少なくとも１つで回路の負荷容量ＣＬ（起動時負荷容量ＣＬｓ）を構成する。そして、この発振回路３においては、発振起動制御を終えた後で、第１から第８のコンデンサＣ１−Ｃ８の内の少なくとも１つ（発振起動させる際のコンデンサＣｎとは別のコンデンサＣｎで、かつ、発振起動させる際のコンデンサＣｎよりも負荷容量が大きいもの）で回路の負荷容量ＣＬ（起動後負荷容量ＣＬａ）を構成する。これにより、この発振回路３においては、発振起動後の回路の負荷容量ＣＬの調整幅を拡げることができる。
【０１０６】
この発振回路３は、前述した実施形態の電子時計１０１に設けられ、この電子時計１０１が備えるムーブメント本体１５０の時計回路システム１５２Ｃに包含される（図１０）。
【０１０７】
本変形例の時計回路システム１５２Ｃは、先の発振回路３を備えると共に、歩進回路１５３と、駆動回路１５４と、定電圧生成回路１５５と、制御回路１５７と、を備える。この時計回路システム１５２Ｃでは、定電圧生成回路１５５で電源電圧Ｖｓｓから生成された定電圧Ｖｒｅｇが発振回路３に入力される。
【０１０８】
発振回路３は、本変形例においても、制御回路１５７によって制御される。制御回路１５７は、発振起動させる際も発進起動後も、負荷容量調整部Ｃｃｌの制御｛副コンデンサ（第３から第８のコンデンサＣ３−Ｃ８）の通電遮断制御｝を行って、発振回路３の回路の負荷容量ＣＬを調整する。発振回路３は、調整された回路の負荷容量ＣＬに応じた発振周波数Ｆで発振振動子１０を発振させ、その発振周波数Ｆに応じた基準信号を歩進回路１５３と制御回路１５７に出力する。
【０１０９】
ここで、制御回路１５７は、発振起動後に発振回路３の環境測定を行ってから、歩進回路１５３に歩進制御を実施させてもよい。測定される発振回路３の環境とは、温度や湿度等のような発振振動子１０の動作に影響を与えるもののことをいう。また、制御回路１５７は、発振起動後の負荷容量調整部Ｃｃｌの制御を開始し、かつ、発振起動後に発振回路３の環境測定を行ってから、歩進回路１５３に歩進制御を実施させてもよい。本変形例の電子時計１０１は、このように発振回路３の置かれている環境を考慮することで、時刻の更に高精度な歩進制御を実施することができる。
【０１１０】
ここでは、測定される発振回路３の環境として発振回路３の温度を用いる。何故ならば、この発振回路３は、自らの温度が基準温度から離れるほど、発振周波数Ｆが目標値よりも低くなり、基準歩度に対する時計歩度のずれ量を大きくしてしまう可能性があるからである。従って、発振回路３の環境測定を行うのであれば、本変形例の時計回路システム１５２Ｃには、基準歩度に対する時計歩度のずれ量を低減させるための温度補償回路１５８を設ける（図１０）。その温度補償回路１５８は、発振起動後に作動させる。この発振回路３においては、基準温度に応じた基準歩度が予め設定されている。
【０１１１】
例えば、温度補償回路１５８は、発振回路３の温度情報を利用して、発振振動子１０の発振周波数Ｆの目標値に対する温度補正量（温度補正値又は温度補正係数）を演算する。発振回路３の温度情報は、ケース１１０に収容されている温度センサ（図示略）の測温情報を発振回路３の温度情報として利用してもよく、その測温情報から推定した温度情報を発振回路３の温度情報として利用してもよい。また、発振回路３の温度情報は、発振回路３の基準信号に基づき推定した温度情報を発振回路３の温度情報として利用してもよい。温度補償回路１５８は、発振回路３の温度情報に基づいて、基準歩度に対する時計歩度のずれ量を演算する。基準歩度に対する時計歩度のずれ量は、発振回路３の温度に対応させたものとして予め設定されている。温度補償回路１５８は、その基準歩度に対する時計歩度のずれ量を温度補正量として制御回路１５７に出力する。制御回路１５７は、その基準歩度に対する時計歩度のずれ量を考慮して、発振振動子１０の発振周波数Ｆの目標値を設定する。そして、この制御回路１５７は、その発振周波数Ｆの目標値となるように、負荷容量調整部Ｃｃｌを制御する。
【０１１２】
本変形例の電子時計１０１は、このような温度補償制御を行うことによって、発振起動後における発振振動子１０の発振周波数Ｆの調整制度を高めることができる。そして、この電子時計１０１は、その温度補償制御が開始されてから歩進回路１５３に歩進制御を実施させるので、時刻の更に高精度な歩進制御を実施することができる。
【０１１３】
この時計回路システム１５２Ｃの動作の一例を図１１のタイムチャートに示す。このタイムチャートでは、発振回路３の発振振動子１０への供給電圧Ｖ、発振回路３の発振振動子１０の発振周波数Ｆ、第１及び第２の補償回路３３，３４の作動状態、温度測定の状態、消費電流Ｉｑ、カウント信号の出力状態を示している。
【０１１４】
制御回路１５７は、発振起動させる際に（ｔ１）、定電圧生成回路１５５で生成された定電圧Ｖｒｅｇを発振回路３に供給する。その際、制御回路１５７は、第１及び第２の補償回路３３，３４を作動させないように、スイッチＳＷ１−ＳＷ６を介して第３から第８のコンデンサＣ３−Ｃ８を遮断状態に制御する。つまり、本変形例の発振回路３及び電子時計１０１は、発振起動させる際に、第３から第８のコンデンサＣ３−Ｃ８の遮断状態への制御に伴う回路の負荷容量ＣＬの減少のみによって、発振振動子１０を発振させる。これにより、本変形例の発振回路３及び電子時計１０１は、発振起動に不要な副コンデンサの容量を減らして負性抵抗を上げることで、発振起動性を向上させることができると共に、前述した実施形態と比べて、発振起動させる際の消費電流Ｉｑを低く抑えることができるので、発振起動させる際の消費電力の削減を図ることができる。
【０１１５】
本変形例の制御回路１５７は、発振起動制御を終えた後、先ず、第１補償回路３３を作動させるように、スイッチＳＷ１を介して第３コンデンサＣ３を通電状態に制御する一方、第２補償回路３４を作動させないように、スイッチＳＷ２−ＳＷ６を介して第４から第８のコンデンサＣ４−Ｃ８を遮断状態に制御する。負荷容量調整部Ｃｃｌにおいては、その制御状態を発振起動後の第１状態とする。ここでは、この負荷容量調整部Ｃｃｌの制御を、発振起動制御を終えたときに行う（ｔ２）。
【０１１６】
その後、制御回路１５７は、温度補償回路１５８を制御し、発振回路３の発振周波数Ｆを用いて、この発振回路３の環境測定を開始する。その温度測定は、負荷容量調整部Ｃｃｌを発振起動後の第１状態に保ったままで行う。ここで、図１１のｔ２−ｔ３間の発振周波数Ｆは、長期間（例えば、１年）に対しての数秒を求めるような時計の目標値の精度としては不十分であるが、温度測定のための精度としては必要十分である。何故ならば、この発振回路３の温度は、その測定期間の発振周波数Ｆが１秒以下の基準時間（例えば３０ｍｓ）で数μｓの精度であれば正確に測定できるからである。図１１のｔ２−ｔ３間の発振周波数Ｆは、そのような精度のものに該当している。
【０１１７】
具体的に、温度補償回路１５８は、温度によって周波数が変化する温度発振器（図示略）を駆動させ、発振回路３の発振周波数Ｆで計測した上記の基準時間（例えば３０ｍｓ）内に温度発振器からの出力パルス数で温度測定を行う。よって、温度補償回路１５８は、その基準時間内に正確な温度測定を行うことができる。
【０１１８】
制御回路１５７は、温度測定後、その測定結果（温度情報）に基づき発振回路３の補正値を算出し、その後の所定のタイミング（ｔ３）で補正値を第１補償回路３３と第２補償回路３４とに反映させ、負荷容量調整部Ｃｃｌを発振起動後の第１状態から第２状態に移行して、歩進回路１５３に歩進制御を実施させる（カウント信号ＯＮ）。ここでは、スイッチＳＷ１を介して第３コンデンサＣ３を遮断状態に制御することで、第１補償回路３３を作動状態から停止状態に移行させ、かつ、スイッチＳＷ２−ＳＷ６を介して第４から第８のコンデンサＣ４−Ｃ８を通電状態に制御することで、第２補償回路３４を停止状態から作動状態に移行させる。負荷容量調整部Ｃｃｌにおいては、その制御状態を発振起動後の第２状態とする。つまり、制御回路１５７は、発振起動後の負荷容量調整部Ｃｃｌの制御を開始し、かつ、発振起動後に発振回路３の環境測定を行ってから、歩進回路１５３に歩進制御を実施させる。
【０１１９】
制御回路１５７は、先に測定した発振回路３の温度情報（つまり、温度補償回路１５８が求めた基準歩度に対する時計歩度のずれ量）が考慮された発振振動子１０の発振周波数Ｆの目標値を設定する。そして、この制御回路１５７は、その発振周波数Ｆの目標値となるように、第４から第８のコンデンサＣ４−Ｃ８の通電遮断制御を行って、第２補償回路３４を作動させる。従って、本変形例の電子時計１０１は、時刻の高精度な歩進制御を実施することができる。
【０１２０】
以上示したように、本変形例の発振回路３及び電子時計１０１は、発振起動性を向上させることができると共に、発振起動後の発振振動子１０の発振周波数Ｆを精度良く調整することができる。また、本変形例の発振回路３及び電子時計１０１は、前述した実施形態よりも、発振起動させる際の消費電力を削減することができる。
【０１２１】
ここで、この例示では補償回路を第１補償回路３３と第２補償回路３４とに分けているが、その補償回路は、第１補償回路３３と第２補償回路３４とを統合したもの、つまり、第３から第８のコンデンサＣ３−Ｃ８を有するものとして構成してもよい。この場合、制御回路１５７には、発振起動制御を終えた後、スイッチＳＷ１を介して第３コンデンサＣ３を通電状態に制御する一方、スイッチＳＷ２−ＳＷ６を介して第４から第８のコンデンサＣ４−Ｃ８を遮断状態に制御することで、負荷容量調整部Ｃｃｌを発振起動後の第１状態とする。そして、制御回路１５７は、温度測定後、スイッチＳＷ１を介して第３コンデンサＣ３を遮断状態に制御する一方、スイッチＳＷ２−ＳＷ６を介して第４から第８のコンデンサＣ４−Ｃ８を通電状態に制御することで、負荷容量調整部Ｃｃｌを発振起動後の第２状態に移行させる。本変形例の発振回路３は、このようなものとして構成してもよい。
【符号の説明】
【０１２２】
１，２，３  発振回路
１０  発振振動子
２１  第１インバータ（発振インバータ）
４０  インバータ（発振インバータ）
１０１  電子時計
１２０  時刻表示部
１３０  ムーブメント
１４０  電源
１５０  ムーブメント本体
１５１  駆動機構
１５２Ａ，１５２Ｂ，１５２Ｃ  時計回路システム
１５３  歩進回路
１５７  制御回路
１５８  温度補償回路
Ｃｃｌ  負荷容量調整部
Ｃｎ（ｎ＝１，２，３，…）  コンデンサ
Ｏｓ  発振器
【図１】
2019161450.tif 000003
【図２】
2019161450.tif 000004
【図３】
2019161450.tif 000005
【図４】
2019161450.tif 000006
【図５】
2019161450.tif 000007
【図６】
2019161450.tif 000008
【図７】
2019161450.tif 000009
【図８】
2019161450.tif 000010
【図９】
2019161450.tif 000011
【図１０】
2019161450.tif 000012
【図１１】
2019161450.tif 000013